(57)【要約】【課題】  印鑑を携帯に便利にする為に、コンパクトで使い易く且つ極薄印鑑にすること。【解決の手段】  キャップ体１付きの極薄でなる印鑑の本体２の裏面２ａに吊り下げ用具３を接合し、捺印するのに、吊り下げ用具３を摘んだままキャップ体１の外しと朱肉Ａ付けと捺印を本体２を摘むことなく使用可能な構成にする。そして又本体２とキャップ体１との）双方を吊り下げ用具３ｂでつなぎ合わせるか、或いは夫々に個別に吊り下げ要具３ｂを吊るし、これをケース部６には２つの窪みを並列し、片方の朱肉窪み８には、朱肉Ａａを詰め込み、他方の印鑑窪み９に本体２を程よい固さで着脱自在に差し込み、キャップ体１は朱肉Ａａの蓋として程よい固さで、着脱自在に係合構成とする。【選択図】図１
2009023323.tif 000002
【特許請求の範囲】
【請求項１】
キャップ体付きの極薄でなる印鑑の本体の裏面に位置して、吊り下げ用具を接合し、捺印するのに、吊り下げ用具を摘んだままキャップ体の外しと、朱肉付けと捺印とが、本体を摘むことなく使用可能にした事を、特徴とする携帯用印鑑。
【請求項２】
前記する本体の裏面に柔軟性材質でなる基板と吊り下げ用具の双方を一体化し、これらの基板の本体側に面ファスナーＡを接着し、該基板に符合し着脱自在でなる面ファスナーＢ付きシートキャップ体或いはこれらのシートキャップ体に模様やキャラクターの装飾を施したことを特徴とする請求項１記載の携帯用印鑑。
【請求項３】
前記する本体とキャップ体との双方を吊り下げ用具でつなぎ合わせるか、或いは夫々に個別に吊り下げ用具を吊るし、これらをケース部と蓋部の２分割で、折りたたみ自在構成の薄型印鑑パッケージの、ケース部には２つの窪みを並列し、これらの片方の朱肉窪みには、朱肉を詰め込み、他方の印鑑窪みに本体を程よい固さで着脱自在に差し込み、キャップ体は朱肉の蓋として程よい固さで、着脱自在に係合可能にしたことを特徴とする請求項１記載の携帯用印鑑。
【請求項４】
前記する朱肉の蓋として使用する着脱自在に係合する吊り下げ用具付きでのキャップ体の筒部に朱肉を詰め込み、ケース部に設けた朱肉窪みの筒部には、該キャップ体が程よい固さでさし込まれ、着脱自在に朱肉を収納可能にした事を特徴とする請求項３記載の携帯印鑑。
【請求項５】
前記する本体の裏面を、蓋部の所定の位置に貼り付け、ケース部に並列して設けた２つの窪み（凹部）の片方の朱肉窪みには、朱肉付きのキャップ体が着脱自在にさし込まれ、他方の印鑑窪みに、蓋部に貼り付けられた本体が着脱自在に係合可能にしたことを特徴とする請求項４記載の携帯印鑑。
【請求項６】
前記する本体とキャップ体の双方を、財布や定期券入れやバッグ等の携帯用品に構成する収納部の一部に並列し、一体化して設けた２つの窪み、即ち朱肉窪みと印鑑窪みに、夫々が程よい固さで着脱自在に係合可能にしたことを特徴とする請求項３記載の携帯用印鑑。
【発明の詳細な説明】
【技術分野】
【０００１】  この発明は携帯用の印鑑に関し、詳しくは印鑑本体の長部を指先や爪先ですら摘めない薄さにし、これらの印面側にキャップ体の差し込みを自在にした極端に薄型のキャップ付き印鑑にし、財布や小物入れやキーホルダー等の携帯用品に収納出来、或いは個別に身辺にアクセサリー風に吊るすなどして、スペースの取らない最適な印鑑で、このように極薄印鑑で捺印が容易に出来る印鑑構造に関する。
【背景技術】
【０００２】  従来この種の印鑑はオフィスでの事務書類に日常的に使うため事務机の引き出しや、或いは家庭に居ながら必要書類に捺印するため、比較的取り出しの容易な場所に収納され、これらの印鑑は円柱形状或いは角柱形状が主でそして印鑑ケースに入れられ、使用時に印鑑ケースから取り出し、個別に用意された朱肉を使って書類に捺印されるが、印鑑の本体の長部は摘み易くする為所定の長さにし、使いやすくしているのが一般的に知られる。【０００３】  そして又外出先などで書類に捺印する場合は、印鑑を印鑑ケースに入れたまま鞄や小物入れ或いは衣服の隠しポケット等に直接入れる等して持参するのが一般的である。また携帯用に発明された折り畳み印鑑押し具が、特開２００３−７２２１２で開示されているが、これらは一枚の柔軟性材質のシートを三等分割で左部と右部の両サイドを折り畳み、中間部のシートには短い印鑑が印面を外にして接着され、左右の折り畳みに依って、それらの接合面に張り付けた面ファスナの双方が着脱結合によって印鑑がマウントされ、比較的薄い携帯に便利な印鑑の構成が従来の技術として開示されている。
【発明の開示】
【発明が解決しようとする課題】
【０００４】  しかしながら、上記する従来の技術の場合は、印鑑ケースに収納される印鑑は、携帯して外出先やオフィス等で使う為に、持ち運ぶのに鞄にしまったり、ポシェットにしまうなどして携帯するため、これらの持ち物の中で他の用品と混在し、取り出すのに不便を感じたり、或いは入れ物を使わない場合での携帯は、常時身につけて携帯する財布や、定期券入れや衣服のポケット等に無造作にしまい込まない限り携帯出来ない為、使いにくく且つ印鑑がやたらに邪魔になったり、紛失し易いなどの課題がある。更には朱肉を個別に調達しなければ使えない等の課題が残る。【０００５】  また携帯用に発明された折り畳み印鑑押し具は、書面に捺印するのにケース部をフープ状にセットして捺印したり、或いは指先をケース部を畳んで差し込んで、捺印をする為印面がふらっき、正確な朱肉付けや捺印が出来なかったりする等の使用に不便さが課題となる。其の為携帯に便利なコンパクトで使いやすく、且つ携帯してもファッション性の有る印鑑が強く要望されていた。
【課題を解決する為の手段】
【０００６】  この発明は係る課題を解決する為に、請求項１での発明は、図１で述べる様に、キャップ体１付きの極薄でなる印鑑の本体２の裏面２ａに位置して吊り下げ用具３を接合し、捺印するのに、吊り下げ用具３を摘んだまま本体２を保持し、キャップ体１の外しや朱肉Ａ付けや捺印するのに本体２を指先で摘むことなく使用出来る構成とする。
【０００７】  また請求項２での発明は、図３で述べる様に、前記する本体２の裏面２ａに柔軟性材質でなる基板４と吊り下げ用具３ａの双方を一体化し、これらの基板４の本体側に面ファスナーＡ５を接着し、更に面ファスナーＡ５に符合し着脱自在でなる面ファスナーＢ５ａ付きシートキャップ体１ａにするか、或いはこれらのシートキャップ体１ａに模様やキャラクターの装飾を施したシートキャップ体１ｂ構成とする。
【０００８】  次ぎに請求項３での発明は、図２、図５（ａ）、図６で述べる様に、前記する本体２とキャップ体１との双方を対に吊り下げ用具３ｂでつなぎ合わせるか、或いは夫々に個別に吊り下げ用具３ｂを吊るし、これらをケース部６と蓋６ａの２分割で、折りたたみ自在構成の薄型印鑑パッケージ７のケース部６には２つの窪みを並列し、片方の朱肉窪み８には朱肉Ａａを詰め込み、他方の印鑑窪み９には本体２を程よい固さで着脱自在に差し込み、キャップ体１は朱肉Ａａの蓋として着脱自在に係合可能な構成とする。
【０００９】  次ぎに請求項４での発明は、図５（ｂ）で述べる様に、前記する朱肉Ａａ蓋として使用する着脱自在に係合する釣り下げ用具３ｂ付きでのキャップ体１の筒部１０に朱肉Ａａを詰め込み、ケース部６に設けた朱肉窪み８の筒部８０には、該キャップ体１が程よい固さでさし込まれ、着脱自在に朱肉Ａａを収納可能にした構成とする。
【００１０】  次ぎに請求項５での発明は、図７で述べる様に、前記する印鑑本体２の裏面２ａを、蓋部６ａの所定の位置に貼り付け、ケース部６に並列して設けた２つ窪み（凹部）の片方の朱肉窪み８には、朱肉Ａａ付きのキャップ体１が着脱自在にさし込まれ、他方の印鑑窪み９に貼り付けられた本体２が着脱自在に係合可能な構成とする。
【００１１】  次ぎに請求項６での発明は、図８で述べる様に、財布や定期券入れやバッグ等の携帯用品Ｂが具備する収納部ＢＢの一部に並列し一体化して設けた２つの窪み、即ち朱肉Ａａの詰めこまれた朱肉窪み８と印鑑窪み９に、キャップ体１と印鑑本体２の夫々が程よい固さで着脱自在に係合する構成とする。
【発明の効果】
【００１２】  本発明は、上述の通り構成作用するので、次ぎの優れた効果を奏する。即ち請求項１での効果は、印鑑本体を極めて薄くし、其の背面に、吊り下げ用具（ストラップ）を一体化することで、吊り下げ用具を摘んだまま印鑑本体を保持出来、また請求項２の効果は、本体とキャップ体は、面ファスナーを使っての開閉で、極薄の印鑑が出来財布やポケットにしまっても邪魔にならず、且つキャップ体にキャラクターの装飾を施し、アクセサリーを兼ねた携帯用印鑑を提供出来る。
【００１３】  次ぎにまた請求項３での効果は、朱肉付きの薄型印鑑パッケージに印鑑を収納したする事で、何時でも何処でも捺印が出来、又請求項４での効果は、パッケージから朱肉と印鑑を着脱自在での利便性の高い携帯用印鑑を提供出来る。
【００１４】  また請求項５での効果は印鑑をパッケージの蓋部に貼り付蓋部を摘んだままパッケージから朱肉を取り出して朱肉を付け、捺印の出来携帯用印鑑を提供出来る。
また請求項６での効果は、財布や定期券入れ或いはバッグ等の携帯用品収納部に位置して、２つの窪みを設け、それらに着脱自在の印鑑と蓋付きでなる朱肉を合体することで、何時でも何処でも携帯用品に印鑑が同居する為、忘れたり紛失する事の無い携帯用印鑑を提供出来る。
【発明を実施するための最良の形態】
【００１５】  以下図示の実施例に基づいて本発明を更に詳細に説明する。図１は本発明での第一実施例に基づく一部断面での全体斜視図で、図４はこれらの使用例を示しての斜視図で、円柱形状の印鑑の本体１を数ミリでの薄い形状で、印面２ｂ側にきっちりと嵌合されるキャップ体１が着脱自在に係止され、更に本体１の裏面２ａに位置して吊り下げ用具３を接合するが、これらの接合手段は本実施例では合成樹脂製での裏面キャップ体２ｃの開口部に印鑑本体２の裏面２ａを固く押し込み、これらの裏面キャップ体２ｃに掛け金具２ｄを埋め込み、吊り下げ用具３として市販されるストラップが利用されるが、吊り下げ用具３の接合形態を特定するものでなく、本体１の背面２０ａに吊り下げ用具３を直結すなどでも良い。【００１６】  次ぎに図３は本発明での第二実施例に基づく全体斜視図で、前記する印鑑本体２の裏面２ａ薄い円形状の柔軟性材質でなる基板４と面ファスナーＡ５を貼り付け、更に基板４の裏面には吊り下げ用具３ａが接合された印鑑の形態で、これらの印鑑の印面２ｂを覆う為に、前記面ファスナーＡ５に符合し着脱自在でなる面ファスナーＢ５ａ付きシートキャップ体１ａにした構成とするが、これらのシートキャップ体１ａには図柄模様やキャラクターの装飾を施すなどの構成とすることで、ファッション性に富んだ携帯用印鑑にしている。【００１７】  次ぎに図２及び図５（ａ）は本発明での第三実施例に基づく分解図で同じく図６は完成品での斜視図で、前記する第一実施例での本体２の裏面２ａとキャップ体１の底面とを細い紐状からなる吊り下げ用具３ｂで繋ぎ合わせることで双方が常時対で使用され、片方の紛失を防ぎ、更にはこれらを柔軟性材質でのケース部６と蓋６ａの２分割で、折り畳み自在でなる薄型印鑑パッケージ７のケース部６に２個の窪みが並列に設けられる。【００１８】  そして、これらの薄型印鑑パッケージ７のケース部６に設けた窪みには、細い紐で吊り下げ用具３ｂに繋がれた印鑑の本体２は印鑑窪み８に整合し、他方に繋がれたキャップ体１は朱肉窪み９に整合の構成とするが、朱肉窪み９の開口部は印鑑窪み８の開口部よりやや大きい方が良く、これら双方がケース部６に収容されて、蓋部６ａの開閉が行なわれる。そして、これらの薄型印鑑パッケージ７は、折りたたみ部６ｂ側面に設けた吊り下げ用具３ｃを使って携帯用具に吊るされ持ち運びされ、或いは吊り下げ用具３ｃを取り除いて、小物入れや財布或いは衣服やシャツのポケットに入れて携帯と取り扱いを容易にしている。更には印鑑の本体２とキャップ体１の取り出しは、吊り下げ用具３ｂの細い紐状を引っ張って取り出し、朱肉付けと捺印はこれらの吊り下げ用具３ｂを摘み行なわれる構成とする。【００１９】  次ぎに図５（ｂ）は本発明での第四実施例に基づく要部での斜視図で、前記する第三実施例での薄型印鑑パッケージ７のケース部６に設けた窪みの朱肉窪み９の蓋として使用する着脱自在に係合する吊り下げ用具３ｂ付きでのキャップ体１の筒部１０に朱肉Ａａを適当に詰め込み、これらのキャップ体１がケース部６に設けた朱肉窪み８の筒部８０の内径に程よい固さで係合し、着脱自在に収納出来る構成で、書類の捺印時は薄型印鑑パッケージ７からキャップ体１の吊り下��用具３ｂを摘んで引っ張り抜き取り、印鑑の本体２に朱肉Ａａ付けを手元で使い易い構成にし、薄型印鑑パッケージ７より切り離して使える構成で有る。【００２０】  次ぎに図７は本発明での第五実施例での一部断面での分解を示す斜視図で、前記する本体２の裏面２ａを、薄型印鑑パッケージ７の蓋部６ａの所定位置に貼り付け、ケース部６に並列して開口する２つの窪みの片方の印鑑窪み９に整合し、蓋部６ａ閉成時に収納を可能構成で、他方の朱肉窪み８には、朱肉Ａａの適当に詰め込まれたのキャップ体１が、程よい固さで着脱自在にさし込まれ、使用時はキャップ体１に設けた吊り下げ用具３ｂを摘んで引き抜き、蓋部６ａの両サイド側面を摘んで、貼り付けた印鑑本体２の印面２ｂをキャップ体１の朱肉Ａａに押し付け、捺印の出来る構成とする。これらの２分割で成る折り畳みの出来る蓋部６ａは閉成体時はケース部６にホールド構成とするが、本実施例はホック手段のホールドとしているが其の限りで無い。【００２１】  次ぎに図７は本発明での第六実施例に基づく全体斜視図で、本体２とキャップ体１の双方を吊り下げ用具３ｂでつなぎ合わせた、或いは個別に設けた吊り下げ用具３ｂ付きのこれらを、財布や定期券入れや名刺入れやカード入れ、或いはバッグ類等の携帯用品Ｂに具備する収納部ＢＢの一部を利用し、これらの部位に２つの窪みを並列して設け、１つは印鑑窪み８で他の１つは朱肉Ａａの詰め込まれた朱肉窪み９で構成するが、窪みはやや軟質で伸縮性材でなる厚みのあるベースを使うことで、本体２の着脱と朱肉窪み９に差し込む朱肉入れが程よくホールドされる構成が望まれるが、携帯用品Ｂと２つの窪みの一体化構成は特定するもので無く、バッグ等も様様なデザインの為、其れにマッチしたデッサンの印鑑本体２を固定す裏面キャップ体２ｃにしたり、キャップ体１にする等して、商品価値を高める事も出来る。
【図面の簡単な説明】
【００２２】
【図１】    本発明に係わる第一実施例で一部断面での全体斜視図である。
【図２】    本発明に係わる第三実施例の構成に属する斜視図である。
【図３】    本発明に係わる第二実施例で分解での斜視図である。
【図４】    本発明に係わる第一と第二実施例での使用例での斜視図である。
【図５】    図中（ａ）図は本発明に係わる第三実施例で分解で、（ｂ）図は本発明での第四実施例での要部を示す斜視図である。
【図６】    本発明に係わる第三と第四実施例で完成での外観斜視図である。
【図７】    本発明に係わる第五実施例での一部断面で分解での斜視図である。
【図８】    本発明に係わる第六実施例での全体斜視図である。
【符合の説明】
【００２３】Ａ（Ａａ）    朱肉
Ｂ            携帯用品
ＢＢ          収納部
１            キャップ体
１ａ，１ｂ    シートキャップ体
２            本体
２ａ          裏面
２０ａ        背面
２ｂ          印面
２ｃ          裏面キャップ体
２ｄ          掛け金具
３（３ａ）（３ｂ）（３ｃ）  吊り下げ用具
４            基板
５            面ファスナーＡ
５ａ          面ファスナーＢ
６            ケース部
６ａ          蓋部
７            朱肉窪み
９            印鑑窪み
１０，８０    筒部
【図１】
2009023323.tif 000003
【図２】
2009023323.tif 000004
【図３】
2009023323.tif 000005
【図４】
2009023323.tif 000006
【図５】
2009023323.tif 000007
【図６】
2009023323.tif 000008
【図７】
2009023323.tif 000009
【図８】
2009023323.tif 000010